(57)【要約】【課題】設備コストや運転コストの低減を図ったデシカント式涼房システムを提供する。【解決手段】第１送風路４に低温空気配管２が接続されると、第１デシカント３０が低温空気を乾燥・昇温させる。また、冷却コイル３１が第１デシカント３０を通過した空気を冷却し、第２デシカント３２が冷却コイル３１により冷却された空気の内部に含まれた水分が蒸発して冷却コイル３１により冷却された空気を加湿・冷却する。一方、第２送風路５に高温空気配管３が接続されると、第２送風路５においては、第１デシカント３８が高温空気の内部に含まれる水分が蒸発して再生する。また、冷却コイル３９が第１デシカント３８を通過した空気を冷却し、第２デシカント４０が第１デシカント３８を通過して加湿された空気の水分を吸着して再生する。【選択図】図１
2010032121.tif 000002
【特許請求の範囲】
【請求項１】
戸外又は床下に蓄えられた低温空気が流れる低温空気配管と、
外気を温めて高温空気を供給する高温空気供給源と、
前記高温空気が流れる高温空気配管と、
前記低温空気配管に接続された涼房送風路であって、前記低温空気が通過すると前記低温空気を乾燥・昇温させる第１乾燥剤、前記第１乾燥剤を通過した空気を冷却する冷却手段、及び、前記冷却手段により冷却された空気が通過すると内部に含まれた水分が蒸発して前記冷却手段により冷却された空気を加湿・冷却する第２乾燥剤、がこの順に配置された涼房送風路と、
前記高温空気配管に接続された再生送風路であって、前記高温空気が通過すると内部に含まれる水分が蒸発して再生する前記第１乾燥剤、前記第１乾燥剤を通過した空気を冷却する冷却手段、及び、前記第１乾燥剤を通過して加湿された空気が通過すると水分が吸着して再生する前記第２乾燥剤が、この順に配置された再生送風路と、
を備えたことを特徴とするデシカント式涼房システム。
【請求項２】
前記第１乾燥剤、前記冷却手段、及び、前記第２乾燥剤が、この順に配置された第１送風路と、
前記第１送風路と前記低温空気配管との間の連通路を開閉する第１開閉手段と、
前記第１送風路と前記高温空気配管との間の連通路を開閉する第２開閉手段と、
前記第１開閉手段を開制御すると共に前記第２開閉手段を閉制御して前記第１送風路に前記低温空気を送風させて前記第１送風路を前記涼房送風路として機能させる涼房制御と前記第１開閉手段を閉制御すると共に第２開閉手段を開制御して前記第１送風路に前記高温空気を送風させて前記第１送風路を前記再生送風路として機能させる再生制御とを交互に行う第１制御手段と、
を備えたことを特徴とする請求項１に記載のデシカント式涼房システム。
【請求項３】
前記第１乾燥剤、前記冷却手段、及び、前記第２乾燥剤が、この順に配置された第２送風路と、
前記第２送風路と前記低温空気配管との間の連通路を開閉する第３開閉手段と、
前記第２送風路と前記高温空気配管との間の連通路を開閉する第４開閉手段と、
前記第１制御手段が涼房制御を行っている間に前記第３開閉手段を閉制御すると共に前記第４開閉手段を開制御して前記第２送風路に前記高温空気を送風させて前記第２送風路を前記再生送風路として機能させ、前記第１制御手段が再生制御を行っている間に前記第３開閉手段を開制御すると共に第４開閉手段を閉制御して前記第２送風路に前記低温空気を送風させて前記第２送風路を前記涼房送風路として機能させる第２制御手段と、
を備えたことを特徴とする請求項２に記載のデシカント式涼房システム。
【請求項４】
前記再生送風路から排出された空気を前記高温空気供給源に送風する循環配管を
備えたことを特徴とする請求項１〜３何れか１項に記載のデシカント式涼房システム。
【発明の詳細な説明】
【技術分野】
【０００１】
本発明は、デシカント式涼房システムに関するものである。
【背景技術】
【０００２】
近年、省エネルギー政策の推進に伴って、室内空調における設定温度の高温化が求められるようになっている。また、健康上の理由等によって、室内への外気の積極的な導入が求められている。特に、日本のように夏場に高温多湿となる地域においては、空調温度の上昇に伴い室内の湿度が上昇するため、湿度制御が不可欠となる。
【０００３】
温度制御とともに湿度制御を効率的に行う涼房システムとしては、従来からデシカント式涼房システムが使用されてきた。デシカント式涼房システムは、シリカゲルやゼオライト粉末等の乾燥剤（デシカント（desiccant））が担持されたデシカントロータを備え、このデシカントロータに湿度を吸着させることで除湿を行う（例えば、特許文献１〜４）。
【０００４】
デシカント式涼房システムでは、デシカントロータに湿度を吸着するのみでは、吸着熱により吸気温度が高くなる。そこで、上記デシカント式涼房システムは、デシカントロータとは別個に、除湿を行う減湿側空気とデシカントロータの乾燥剤を乾燥させて再生するための再生空気（加湿側空気）との間で熱交換を行うための顕熱交換器を設けて排気の温度調整をしている。そのため設備コストや運転コストがかかる問題があった。
【特許文献１】特開２０００−２０５５９８号公報
【特許文献２】特開２００７−２５５７８０号公報
【特許文献３】特開２００６−２０７８７２号公報
【特許文献４】特開２００５−２６５２８３号公報
【発明の開示】
【発明が解決しようとする課題】
【０００５】
そこで、本発明は、上記のような問題点に着目し、設備コストや運転コストの低減を図ったデシカント式涼房システムを提供することを課題とする。
【課題を解決するための手段】
【０００６】
上記課題を解決するためになされた請求項１記載の発明は、戸外又は床下に蓄えられた低温空気が流れる低温空気配管と、外気を温めて高温空気を供給する高温空気供給源と、前記高温空気が流れる高温空気配管と、前記低温空気配管に接続された涼房送風路であって、前記低温空気が通過すると前記低温空気を乾燥・昇温させる第１乾燥剤、前記第１乾燥剤を通過した空気を冷却する冷却手段、及び、前記冷却手段により冷却された空気が通過すると内部に含まれた水分が蒸発して前記冷却手段により冷却された空気を加湿・冷却する第２乾燥剤、がこの順に配置された涼房送風路と、前記高温空気配管に接続された再生送風路であって、前記高温空気が通過すると内部に含まれる水分が蒸発して再生する前記第１乾燥剤、前記第１乾燥剤を通過した空気を冷却する冷却手段、及び、前記第１乾燥剤を通過して加湿された空気が通過すると水分が吸着して再生する前記第２乾燥剤が、この順に配置された再生送風路と、を備えたことを特徴とするデシカント式涼房システムに存する。
【０００７】
請求項２記載の発明は、前記第１乾燥剤、前記冷却手段、及び、前記第２乾燥剤が、この順に配置された第１送風路と、前記第１送風路と前記低温空気配管との間の連通路を開閉する第１開閉手段と、前記第１送風路と前記高温空気配管との間の連通路を開閉する第２開閉手段と、前記第１開閉手段を開制御すると共に前記第２開閉手段を閉制御して前記第１送風路に前記低温空気を送風させて前記第１送風路を前記涼房送風路として機能させる涼房制御と前記第１開閉手段を閉制御すると共に第２開閉手段を開制御して前記第１送風路に前記高温空気を送風させて前記第１送風路を前記再生送風路として機能させる再生制御とを交互に行う第１制御手段と、を備えたことを特徴とする請求項１に記載のデシカント式涼房システムに存する。
【０００８】
請求項３記載の発明は、前記第１乾燥剤、前記冷却手段、及び、前記第２乾燥剤が、この順に配置された第２送風路と、前記第２送風路と前記低温空気配管との間の連通路を開閉する第３開閉手段と、前記第２送風路と前記高温空気配管との間の連通路を開閉する第４開閉手段と、前記第１制御手段が涼房制御を行っている間に前記第３開閉手段を閉制御すると共に前記第４開閉手段を開制御して前記第２送風路に前記高温空気を送風させて前記第２送風路を前記再生送風路として機能させ、前記第１制御手段が再生制御を行っている間に前記第３開閉手段を開制御すると共に第４開閉手段を閉制御して前記第２送風路に前記低温空気を送風させて前記第２送風路を前記涼房送風路として機能させる第２制御手段と、を備えたことを特徴とする請求項２に記載のデシカント式涼房システムに存する。
【０００９】
請求項４記載の発明は、前記再生送風路から排出された空気を前記高温空気供給源に送風する循環配管を備えたことを特徴とする請求項１〜３何れか１項に記載のデシカント式涼房システムに存する。
【発明の効果】
【００１０】
以上説明したように請求項１記載の発明によれば、湿度制御及び温度制御の両方を乾燥剤を用いて行うことができるので、構成が簡単となり、設備コストや運転コストの低減を図ることができる。
【００１１】
請求項２記載の発明によれば、ロータを用いて第１乾燥剤及び第２乾燥剤を常に回転駆動させなくても、第１開閉手段及び第２開閉手段を間欠的に駆動させるだけで第１乾燥剤及び第２乾燥剤を涼房送風路と再生送風路との間で切り替えることができる。これにより、省電力化を図ることができる。
【００１２】
請求項３記載の発明によれば、第１送風路を涼房送風路として機能させている間に第２送風路を再生送風路として機能させ、第１送風路を再生送風路として機能させている間に第２送風路を涼房送風路として機能させることにより、連続的に涼房を行うことができる。
【００１３】
請求項４記載の発明によれば、再生送風路から排出される排熱を高温空気供給源に供給することにより、高温空気供給源の規模を小さくしたり、エネルギ効率を向上させることができる。また、排熱を大気に放出しないため、夏季の外気温度上昇を抑えることができる。
【発明を実施するための最良の形態】
【００１４】
以下、本発明の一実施形態を図面に基づいて説明する。図１に示すように、デシカント式涼房システム１は、低温空気配管２と、高温空気配管３と、第１送風路４と、第２送風路５と、を備えている。
【００１５】
上記低温空気配管２は、入口が建物６の床下空間７に配置されている。低温空気配管２は、出口が分岐部８で２つの分岐配管９、１０に分岐して、その一方の分岐配管９が第１送風路４の入口に連通し、他方の分岐配管１０が第２送風路５の入口に連通するように設けられている。
【００１６】
分岐部８には、第１開閉手段及び第３開閉手段としてのダンパ１１が設けられている。ダンパ１１は、上述した２つの分岐配管９、１０の何れか一方のみを選択的に塞げるように、駆動可能に設けられている。よって、ダンパ１１が分岐配管１０を塞いでいる間は、後述する送風ファン３３の駆動に応じて床下空間７内の低温空気（２８℃程度）は低温空気配管２を通って第１送風路４の入口に送風される。これに対して、ダンパ１１が分岐配管９を塞いでいる間は、後述する送風ファン４１の駆動に応じて床下空間７内の低温空気（２８℃程度）は低温空気配管２を通って第２送風路５の入口に送風される。
【００１７】
上記高温空気配管３は、入口が分岐部１２で２つの分岐配管１３、１４に分岐して、その一方の分岐配管１３が後述する高温空気供給源としての空気集熱パネル１５に連通し、他方の分岐配管１４が後述する高温空気供給源としてのガス熱交換器１６内のチャンバ１７の出口２４に連通するように設けられている。
【００１８】
上記空気集熱パネル１５は、外気を太陽熱により温めるためのものであり、例えば図２に示すように、波形断面形状を有するアルミ製のパネルで構成されている。空気集熱パネル１５は、多数の貫通孔（図示せず）が設けられている。上記空気集熱パネル１５は、例えば建物６の屋根面１８（図２）に配置されている。そして、後述する送風ファン３３、４１を動作させると、外気が多数の貫通孔を通して空気集熱パネル１５と屋根面１８との間に設けられた空間に吸い込まれる。吸い込まれた外気は、太陽熱で温められた空気集熱パネル１５の熱を奪って、約７９℃の高温空気となって高温空気配管３に送られる。
【００１９】
また、上記ガス熱交換器１６は、外気をガスエネルギで温めるためのものである。ガス熱交換器１６は、チャンバ１７と、温水コイル１９と、蓄熱槽２０と、給湯器２１と、ガス供給設備２２と、を備えている。チャンバ１７には、外気と連通する入口２３と、高温空気配管３と連通する出口２４と、を備えている。上記温水コイル１９は、蓄熱槽２０に蓄えられた温水が流れるコイル状の配管であり、チャンバ１７内に設けられている。蓄熱槽２０には、給湯器２１により温められた温水が蓄えられている。給湯器２１は、ガス供給設備２２からガスが供給されると燃焼して蓄熱槽２０内の温水を温める。
【００２０】
よって、後述する送風ファン３３、４１を動作させると、外気が入口２３を通してチャンバ１７内に吸い込まれる。吸い込まれた外気は、温水コイル１９を流れる温水の熱を奪って、約７９℃の高温空気となって高温空気配管３に送られる。
【００２１】
また、分岐部１２には、ダンパ２５が設けられている。ダンパ２５は、上述した２つの分岐配管１３、１４の何れか一方のみを選択的に塞げるように、駆動可能に設けられている。よって、ダンパ２５が分岐配管１４を塞いでいる間は、後述する送風ファン３３、４１の駆動に応じて空気集熱パネル１５によって温められた高温空気が高温空気配管３に流れる。これに対して、ダンパ２５が分岐配管１３を塞いでいる間は、後述する送風ファン３３、４１の駆動に応じてガス熱交換器１６によって暖められた高温空気が高温空気配管３に流れる。
【００２２】
また、上記高温空気配管３は、出口側が分岐部２６で２つの分岐配管２７、２８に分岐して、その一方の分岐配管２７が第１送風路４の入口に連通し、他方の分岐配管２８が第２送風路５の入口に連通するように設けられている。上記分岐部２６には、第２開閉手段及び第４開閉手段としてのダンパ２７が設けられている。ダンパ２７は、上述した２つの分岐配管２７、２８の何れか一方のみを選択的に塞げるように、駆動可能に設けられている。よって、ダンパ２９が分岐配管２８を塞いでいる間は、後述する送風ファン３３の駆動に応じて高温空気配管３を流れる高温空気は第１送風路４の入口に送風される。これに対して、ダンパ２９が分岐配管２７を塞いでいる間は、後述する送風ファン４１の駆動に応じて高温空気配管３を流れる高温空気は第２送風路５の入口に送風される。
【００２３】
上記第１送風路４は、第１乾燥剤としての第１デシカント３０と、冷却手段としての冷水コイル３１と、第２乾燥剤としての第２デシカント３２と、送風ファン３３と、がこの順で流路内に配置されている。第１デシカント３０及び第２デシカント３２はそれぞれ、乾燥剤が充填されて設けられている。冷水コイル３１は、冷水が流れるコイル状の配管である。送風ファン３３は、第１送風路４の入口から出口に向かう空気の流れを形成するためのファンである。
【００２４】
上述した構成の第１送風路４は、第１デシカント３０を十分乾燥させた状態であり、かつ、第２デシカント３２に十分水分が含まれた状態で、低温空気配管２を流れる２８℃の低温空気を送風すると涼房送風路として機能する。詳しくは、第１送風路４内に送風された２８℃の低温空気は、まず第１デシカント３０を通過する。このとき、第１デシカント３０は、２８℃の低温空気の水分を吸着して低温空気を乾燥させると共に約５６℃に昇温させる（図３のＡ１→Ａ２）。第１デシカント３０を通過した空気は、次に冷却コイル３１を通過して約３５℃に冷却される（図３のＡ２→Ａ３）。冷却コイル３１により冷却された空気は、次に第２デシカント３２を通過する。
【００２５】
このとき、第２デシカント３２に含まれた水分が蒸発して、冷却コイル３１により冷却された空気が加湿されると共に、約２７℃にさらに冷却される（図３のＡ３→Ａ４）。そして、第１送風路４の出口からは約２７℃の涼風が送風される。ただし、第１送風路４を長時間、涼房送風路として機能させると、第１デシカント３０の内部に含まれる水分が飽和して、空気の除湿を行えなくなる。また、第２デシカント３２に蓄えられた水分が蒸発してなくなり、空気を冷却することができなくなる。
【００２６】
そこで、一定期間（例えば２４時間）、第１送風路４を涼房送風路として機能させた後に、第１送風路４に高温空気配管３を流れる７８℃の高温空気を送風して再生送風路として機能させる。詳しくは、第１送風路４内に送風された７８℃の高温空気は、第１デシカント３０を通過する。なお、第１デシカント３０は、第１送風路４を一定期間、涼房送風路として機能させた結果、内部に十分に水分が含まれた状態となっている。このとき、第１デシカント３０に含まれた水分が蒸発して、第１デシカント３０が再生される。また、７８℃の高温空気が加湿されると共に、４８℃に冷却される（図３のＡ５→Ａ６）。
【００２７】
第１デシカント３０を通過した空気は、次に冷却コイル３１を通過して３５℃まで冷却される（図３のＡ６→Ａ７）。冷却コイル３１により冷却された空気は、次に第２デシカント３２を通過する。なお、第２デシカント３２は、第１送風路４を一定期間、涼房送風路として機能させた結果、乾燥している。また、この第２デシカント３２を通過する冷却コイル３１により冷却された空気は、第１デシカント３０により加湿されている。このとき、第２デシカント３２は、冷却コイル３１により冷却された空気の水分を吸着して再生する。また、冷却コイル３１により冷却された空気を乾燥させると共に約４８℃に昇温させる（図３のＡ７→Ａ８）。そして、第１送風路４の出口からは約４８℃の排熱が送風される。なお、冷却コイル３１を通過して温められた温水は、蓄熱槽２０に蓄えられるようになっている。
【００２８】
上記第１送風路４は、その出口が分岐部３４で２つの分岐配管３５、３６で分岐して、その一方の分岐配管３５が建物６の室内に連通し、他方の循環配管としての分岐配管３６が空気集熱パネル１５及びチャンバ１７の少なくとも一方に連通するように設けられている。上記分岐部３４にはダンパ３７が設けられている。ダンパ３７は、上述した２つの分岐配管３５、３６の何れか一方のみを選択的に塞げるように、駆動可能に設けられている。よって、ダンパ３７が分岐配管３６を塞いでいる間は、第１送風路４から送風された空気は建物６の室内に送風される。これに対して、ダンパ３７が分岐配管３５を塞いでいる間は、第１送風路４から送風された空気は空気集熱パネル１５及びチャンバ１７の少なくとも一方に送風される。
【００２９】
上記第２送風路５は、第１デシカント３８と、冷水コイル３９と、第２デシカント４０と、送風ファン４１と、がこの順で流路内に配置されている。第１デシカント３８及び第２デシカント４０はそれぞれ、乾燥剤が充填されて設けられている。冷水コイル３９は、冷水が流れるコイル状の配管である。送風ファン４１は、第２送風路５の入口から出口に向かう空気の流れを形成するためのファンである。
【００３０】
上述した構成の第２送風路５は、第１送風路４と同様に、低温空気配管２を流れる２８℃の低温空気を送風すると涼房送風路として機能する。また、第２送風路５は、高温空気配管３を流れる７８℃の高温空気を送風すると再生送風路として機能する。その詳細は、上述した第１送風路４と同じであるため、ここでは省略する。
【００３１】
第２送風路５は、その出口が分岐部４２で２つの分岐配管４３、４４で分岐して、その一方の分岐配管４３が建物６の室内に連通し、他方の循環配管としての分岐配管４４が空気集熱パネル１５及びチャンバ１７の少なくとも一方に連通するように設けられている。上記分岐部４２にはダンパ４５が設けられている。ダンパ４５は、上述した２つの分岐配管４３、４４の何れか一方のみを選択的に塞げるように、駆動可能に設けられている。よって、ダンパ４５が分岐配管４４を塞いでいる間は、第２送風路５から送風された空気は建物６の室内に送風される。これに対して、ダンパ４５が分岐配管４３を塞いでいる間は、第２送風路５から送風された空気は空気集熱パネル１５及びチャンバ１７の少なくとも一方に送風される。上述したダンパ１１、２５、２９、３７、４５、送風ファン３３、４１及びガス熱交換器１６は、図示しないマイクロコンピュータ（以下μＣＯＭ）に接続されていて、その動作が制御されている。
【００３２】
次に、上述した構成のデシカント式涼房システム１の動作について、図４のフローチャートを参照して説明する。電源投入に応じてμＣＯＭは、処理を開始して、送風ファン３３、３４の駆動を開始する（ステップＳ１）。次に、μＣＯＭは、図５（Ａ）に示すように、ダンパ１１を分岐配管１０側に倒して分岐配管１０を塞ぎ、ダンパ２９を分岐配管２７側に倒して分岐配管２７を塞ぎ、ダンパ３４を分岐配管３６側に倒して分岐配管３６を塞ぎ、ダンパ４５を分岐配管４３側に倒して分岐配管４３を塞ぐ（ステップ２）。
【００３３】
これにより、図５（Ａ）に示すように、低温空気配管２を流れる低温空気が第１送風路４に送風されて、第１送風路４が涼房送風路として機能する。涼房送風路として機能する第１送風路４からの涼風は、室内に送られる。また、高温空気配管３を流れる高温空気が第２送風路５に送風されて、第２送風路５が再生送風路として機能する。再生送風路として機能する第２送風路５からの排熱は、空気集熱パネル１５及びチャンパ１７の少なくとも何れか一方に送風される。
【００３４】
次に、μＣＯＭは、例えば空気集熱パネル１５付近に設置された太陽電池の起電力を確認して空気集熱パネル１５が太陽熱を十分に吸収しているか否かを判断する（ステップＳ３）。起電力が高く太陽熱を十分に吸収していると判断できれば（ステップＳ３でＹ）、μＣＯＭは、ダンパ２５を分岐配管１４側に倒して分岐配管１４を塞ぐ（ステップＳ４）。これにより、空気集熱パネル１５により温められた高温空気が高温空気配管３に流れる。
【００３５】
これに対して、曇りや夜間などで太陽熱を十分に吸収していないと判断すれば（ステップＳ３でＮ）、μＣＯＭは、起電力が低くガス熱交換器１６を駆動してガスにより外気を温めると共にダンパ２５を分岐配管１３側に倒して分岐配管１３を塞ぐ（ステップＳ５）。これにより、ガス熱交換器１６により温められた高温空気が高温空気配管３に流れる。
【００３６】
その後、μＣＯＭは、２４時間経過するか否かを判断する（ステップＳ６）。２４時間が経過していなければ（ステップＳ６でＮ）、μＣＯＭは、再びステップＳ３に戻る。一方、２４時間が経過していれば（ステップＳ６でＹ）、μＣＯＭは、ダンパ１１、２９、３７、４５を切替駆動した後に（ステップＳ７）、ステップＳ３に戻る。ステップＳ７において、μＣＯＭは、例えば、ダンパ１１、２９、３７、４５の状態が図５（Ａ）に示すような状態であれば、図５（Ｂ）に示すように、ダンパ１１を分岐配管９側に倒して分岐配管９を塞ぎ、ダンパ２９を分岐配管２８側に倒して分岐配管２８を塞ぎ、ダンパ３７を分岐配管３５側に倒して分岐配管３５を塞ぎ、ダンパ４５を分岐配管４５側に倒して分岐配管４５を塞ぐ。
【００３７】
これにより、図５（Ｂ）に示すように、低温空気配管２を流れる低温空気が第２送風路５に送風されて、第２送風路５が涼房送風路として機能する。涼房送風路として機能する第２送風路５からの涼風は、室内に送られる。また、高温空気配管３を流れる高温空気が第１送風路４に送風されて、第１送風路４が再生送風路として機能する。再生送風路として機能する第１送風路４からの排熱は、空気集熱パネル１５及びチャンパ１７の少なくとも何れか一方に送風される。
【００３８】
μＣＯＭは、逆に、ダンパ１１、２９、３７、４５の状態が図５（Ｂ）に示すような状態であれば、ダンパ１１、２９、３７、４５を図５（Ａ）に示すような状態に切り替える。これにより、第１送風路４及び第２送風路５は、２４時間毎に交互に涼風送風路として機能する。また、第１送風路４及び第２送風路５は、一方が涼風送風路として機能している間に他方が再生送風路として機能する。以上のことから明らかなように、μＣＯＭが請求項中の第１制御手段及び第２制御手段として働く。
【００３９】
上述したデシカント式涼房システムによれば、第１及び第２送風路４、５が涼房送風路として働くときに、第１デシカント３０、３８が通過する空気の水分を吸着して乾燥させ、第２デシカント３２、４０が内部に含まれた水分を蒸発させて通過する空気を冷却させる。また、第１及び第２送風路４、５が再生送風路として働かせて第１デシカント３０、３８及び第２デシカント３２、４０を再生している。よって、湿度制御及び温度制御の両方をデシカント（乾燥剤）を用いて行うことができるので、構成が簡単となり、設備コストや運転コストの低減を図ることができる。
【００４０】
また、上述したデシカント式涼房システムによれば、μＣＯＭが、ダンパ１１、２９を制御して第１送風路４に低温空気を送風させて第１送風路４を涼房送風路として機能させる涼房制御とダンパ１１、２９を制御して第１送風路４に高温空気を送風させて第１送風路４を再生送風路として機能させる再生制御とを２４時間毎に交互に行っている。よって、ロータを用いて第１デシカント３０及び第２デシカント３２を常に回転駆動させなくても、ダンパ１１、２９を間欠的に駆動させるだけで第１デシカント３０及び第２デシカント３２を涼房送風路と再生送風路との間で切り替えることができる。これにより、省電力化を図ることができる。
【００４１】
また、上述したデシカント式涼房システムによれば、μＣＯＭが、ダンパ１１、２９を制御して第１送風路４を涼房送風路として機能させている間に第２送風路５に高温空気を送風させて第２送風路５を再生送風路として機能させる再生制御を行い、第１送風路４を再生送風路として機能させている間に第２送風路５に低温空気を送風させて第２送風路５を涼房送風路として機能させる涼房制御させている。よって、第１送風路４を涼房送風路として機能させている間に第２送風路５を再生送風路として機能させ、第１送風路４を再生送風路として機能させている間に第２送風路５を涼房送風路として機能させることにより、連続的に涼房を行うことができる。
【００４２】
また、上述したデシカント式涼房システムによれば、再生送風路として機能した第１送風路４及び第２送風路５から排出された排熱を空気集熱パネル１５及びガス熱交換器１６のチャンバ１７の少なくとも一方に送風している。よって、外気よりも温められた排熱が空気集熱パネル１５に送風されるため、空気集熱パネル１５の配置面積を小さくすることができる。また、外気よりも温められた排熱がガス熱交換器１６のチャンバ１７に送風されるため、高温空気を供給するためのガスエネルギを少なくすることができる。また、排熱を大気に放出しないため、夏季の外気温度上昇を抑えることができる。
【００４３】
また、上述したデシカント式涼房システムによれば、ガスを使って涼房を行うことができるので、ガス事業者にとって、燃焼、給湯以外の新たなガス需要が発生することで、夏季におけるガス事業の安定化につながる。さらに、太陽熱を用いて涼房を行うことができるので、ＣＯ2排出量の削減を図ることができる。
【００４４】
なお、上述した実施形態によれば、床下空間７の空気を低温空気として低温空気配管２に流していたが、本発明はこれに限ったものではない。例えば、外気を低温空気として低温空気配管に流しても良い。
【００４５】
また、上述した実施形態によれば、ダンパ１１、２９を制御して、第１送風路４に低温空気を送って涼風送風路として機能させると共に第２送風路５に高温空気を送って再生送風路として機能させる制御と、第１送風路４に高温空気を再生送風路として機能させると共に第２送風路５に低温空気を送って再生送風路として機能させる制御と、を交互に行っていたが、本発明はこれに限ったものではない。例えば、第１デシカント３０、３８を一体に形成した第１デシカントロータを設けて、この第１デシカントロータを第１送風路４及び第２送風路５の２つの送風路を跨ぐように配置して第１デシカントロータを回転させる。また、第２デシカント３２、４０を一体に形成した第２デシカントロータを設けて、この第２デシカントロータを第１送風路４及び第２送風路５の２つの送風路を跨ぐように配置して第２デシカントロータを回転させる。そして、第１送風路４に常に低温空気を送って涼風送風路として機能させ、第２送風路５に常に高温空気を送って再生送風路として機能させてもよい。
【００４６】
また、上述した実施形態では、第１開閉手段、第３開閉手段としてダンパ１１を用いていたが、本発明はこれに限ったものではない。第１開閉手段としては、第１送風路４と低温空気配管２との間の連通路を開閉するものであり、第３開閉手段としては、第２送風路５と低温空気配管２との間の連通路を開閉するものであればよく、例えば、第１開閉手段として分岐配管９に電磁弁を設け、第３開閉手段として分岐配管１０に電磁弁を設けてもよい。
【００４７】
また、上述した実施形態では、第２開閉手段、第４開閉手段としてダンパ２９を用いていたが、本発明はこれに限ったものではない。第２開閉手段としては、第１送風路４と高温空気配管３との間の連通路を開閉するものであればよく、第４開閉手段としては、第２送風路５と高温空気配管３との間の連通路を開閉するものであればよく、例えば、第２開閉手段として分岐配管２９に電磁弁を設け、第３開閉手段として分岐配管２８に電磁弁を設けてもよい。
【００４８】
また、上述した実施形態では、再生送風路として機能する第１送風路４及び第２送風路５から出力された排熱を空気集熱パネル１５及びチャンバ１７の少なくとも一方に送っていたが、本発明はこれに限ったものではない。例えば、上記排熱については外気に放出するようにしてもよい。
【００４９】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５０】
【図１】本発明のデシカント式涼房システムの一実施の形態を示すブロック図である。
【図２】図１のデシカント式涼房システムを構成する空気集熱パネルを示す部分断面斜視図である。
【図３】第１送風路及び第２送風路内の各部における空気の温度と絶対湿度とを示すグラフである。
【図４】図１のデシカント式涼房システムを構成するμＣＯＭの処理手順を示すフローチャートである。
【図５】図１のデシカント式涼房システムの動作を説明するための説明図である。
【符号の説明】
【００５１】
１    デシカント式涼房システム
２    低温空気配管
３    高温空気配管
４    第１送風路
５    第２送風路
１１  ダンパ（第１開閉手段、第３開閉手段）
１５  空気集熱パネル（高温空気供給源）
１６  ガス熱交換器（高温空気供給源）
２７  ダンパ（第２開閉手段、第４開閉手段）
３０  第１デシカント（第１乾燥剤）
３１  冷却コイル（冷却手段）
３２  第２デシカント（第２乾燥剤）
３６  分岐配管（循環配管）
４４  分岐配管（循環配管）
【図１】
2010032121.tif 000003
【図２】
2010032121.tif 000004
【図３】
2010032121.tif 000005
【図４】
2010032121.tif 000006
【図５】
2010032121.tif 000007